(57)【要約】    【課題】  ストロボバウンス撮影時においても適切なホワイトバランス調整を行うことができるデジタルスチルカメラ及びそのホワイトバランス調整方法、並びにプログラムを提供する。    【解決手段】  デジタルカメラ１００は、外付け又は内蔵型のストロボ１２５と、デジタルカメラ１００全体の動作を司る制御部１２１とを備える。制御部１２１は、ストロボ撮影時であり、且つストロボバウンス撮影であるときは、ストロボ撮影時のホワイトバランス調整に用いられるホワイトバランス補正値ＷＢstrobeでなく、撮影画像に基づいて算出されたホワイトバランス補正値ＷＢnon-strobeで撮影画像のホワイトバランス調整を行う。【選択図】      図１
2005142830.tif 000002
【特許請求の範囲】
【請求項１】
ストロボと、前記ストロボの発光の有無を検出するストロボ発光検出手段と、ホワイトバランス補正値を用いて撮像画像のホワイトバランスの調整を行うホワイトバランス調整手段とを備え、
前記ホワイトバランス調整手段は、
前記ストロボの発光が無いと検出したときは、前記撮影画像に基づいて算出される第１の補正値を前記ホワイトバランス補正値として用いて、前記ストロボの発光が有ると検出したときは、ストロボ発光時用の第２の補正値を前記ホワイトバランス補正値として用いるデジタルスチルカメラにおいて、
前記ストロボの発光が有ると検出したときに、ストロボバウンスの有無を検出するストロボバウンス検出手段を備え、
前記ホワイトバランス調整手段は、
前記ストロボバウンスが有ると検出したときは、前記第１の補正値から導き出された第３の補正値を前記ホワイトバランス補正値として用いることを特徴とするデジタルスチルカメラ。
【請求項２】
前記第３の補正値は、前記第１の補正値であることを特徴とする請求項１記載のデジタルスチルカメラ。
【請求項３】
前記第３の補正値は、前記第１の補正値と予め設定された第４の補正値とを所定の比率で重み付けしたものであることを特徴とする請求項１記載のデジタルスチルカメラ。
【請求項４】
前記所定の比率は、ストロボ発光時とストロボ発光前の被写体輝度差に基づいて定めることを特徴とする請求項３記載のデジタルスチルカメラ。
【請求項５】
前記第２の補正値は、前記第４の補正値であることを特徴とする請求項３又は４記載のデジタルスチルカメラ。
【請求項６】
前記第２の補正値は、前記第４の補正値と前記第１の補正値を他の所定の比率で重み付けした値であって、
前記所定の比率は前記他の所定の比率より高いことを特徴とする請求項３又は４記載のデジタルスチルカメラ。
【請求項７】
ストロボの発光の有無を検出するストロボ発光検出ステップと、ホワイトバランス補正値を用いて撮像画像のホワイトバランスの調整を行うホワイトバランス調整ステップとを備え、
前記ホワイトバランス調整ステップは、
前記ストロボの発光が無いと検出したときは、前記撮影画像に基づいて算出される第１の補正値を前記ホワイトバランス補正値として用いて、前記ストロボの発光が有ると検出したときは、ストロボ発光時用の第２の補正値を前記ホワイトバランス補正値として用いるデジタルスチルカメラのホワイトバランス調整方法において、
前記ストロボの発光が有ると検出したときに、ストロボバウンスの有無を検出するストロボバウンス検出ステップを備え、
前記ストロボバウンスが有ると検出したときは、前記ホワイトバランス調整ステップにより、前記第１の補正値から導き出された第３の補正値が前記ホワイトバランス補正値として用いられることを特徴とするデジタルスチルカメラのホワイトバランス調整方法。
【請求項８】
前記第３の補正値は、前記第１の補正値であることを特徴とする請求項７記載のホワイトバランス調整方法。
【請求項９】
前記第３の補正値は、前記第１の補正値と予め設定された第４の補正値とを所定の比率で重み付けしたものであることを特徴とする請求項７記載のホワイトバランス調整方法。
【請求項１０】
前記所定の比率は、ストロボ発光時とストロボ発光前の被写体輝度差に基づいて定めることを特徴とする請求項９記載のホワイトバランス調整方法。
【請求項１１】
前記第２の補正値は、前記第４の補正値であることを特徴とする請求項９又は１０記載のホワイトバランス調整方法。
【請求項１２】
前記第２の補正値は、前記第４の補正値と前記第１の補正値を他の所定の比率で重み付けした値であって、
前記所定の比率は前記他の所定の比率より高いことを特徴とする請求項９又は１０記載のホワイトバランス調整方法。
【請求項１３】
請求項７乃至１２のいずれか１項に記載のホワイトバランス調整方法をコンピュータに実行させることを特徴とするプログラム。
【発明の詳細な説明】
【技術分野】
【０００１】
本発明は、デジタルスチルカメラ及びそのホワイトバランス調整方法、並びにプログラムに関し、特に、ストロボバウンス撮影を行うデジタルスチルカメラ及びそのホワイトバランス調整方法、並びにプログラムに関する。
【背景技術】
【０００２】
従来、デジタルスチルカメラのホワイトバランス調整方法には、撮影時にカメラレンズから入射した光を撮像素子で光電変換し、これにより得られる画像データから無彩色と思われるデータを抽出し、さらにそのデータが無彩色となるように画像のＲ成分とＢ成分のゲイン（利得）を算出するＴＴＬ（スルーザレンズ）方式が多用されてきた。
【０００３】
しかし、このＴＴＬ方式をストロボ撮影時に用いると、被写体からの光に光源色に近い色が多く含まれていたり、無彩色が含まれていないような場合に、被写体の色を無彩色にしてしまう等、誤ったホワイトバランス調整が行われる場合があった。
【０００４】
このような誤ったホワイトバランス調整を少しでもなくすために、ストロボ撮影を行う場合は、撮影時に撮像素子が光電変換することにより得られる画像データから無彩色と思われるデータを抽出するのではなく、ストロボ光の光強度に対応したホワイトバランス補正値を使用したホワイトバランス調整が行われている（例えば、特許文献１参照）。
【０００５】
このような方法を用いた場合、ストロボ光を直接被写体に発光させた場合には、比較的良好なホワイトバランス調整を行うことができる。
【特許文献１】特公平８−１７４９８号公報
【発明の開示】
【発明が解決しようとする課題】
【０００６】
しかしながら、ストロボ撮影時に、白い壁等の反射板に向けてストロボ光を照射し、間接的に被写体へ光を照射するストロボバウンス撮影を行うと、カメラレンズに入射する光には、ストロボ光の光源色よりも、被写体をもともと照らしていた外光の光源色に近い色が多く含まれるようになり、ストロボ用のホワイトバランス補正値を使用してホワイトバランス調整を行うと正しく補正を行えないことがあった。
【０００７】
本発明は、ストロボバウンス撮影時においても適切なホワイトバランス調整をすることができるデジタルスチルカメラ及びそのホワイトバランス調整方法、並びにプログラムを提供することを目的とする。
【課題を解決するための手段】
【０００８】
請求項１記載のデジタルスチルカメラは、ストロボと、前記ストロボの発光の有無を検出するストロボ発光検出手段と、ホワイトバランス補正値を用いて撮像画像のホワイトバランスの調整を行うホワイトバランス調整手段とを備え、前記ホワイトバランス調整手段は、前記ストロボの発光が無いと検出したときは、前記撮影画像に基づいて算出される第１の補正値を前記ホワイトバランス補正値として用いて、前記ストロボの発光が有ると検出したときは、ストロボ発光時用の第２の補正値を前記ホワイトバランス補正値として用いるデジタルスチルカメラにおいて、前記ストロボの発光が有ると検出したときに、ストロボバウンスの有無を検出するストロボバウンス検出手段を備え、前記ホワイトバランス調整手段は、前記ストロボバウンスが有ると検出したときは、前記第１の補正値から導き出された第３の補正値を前記ホワイトバランス補正値として用いることを特徴とする。
【０００９】
請求項２記載のデジタルスチルカメラは、請求項１記載のデジタルスチルカメラにおいて、前記第３の補正値は、前記第１の補正値であることを特徴とする。
【００１０】
請求項３記載のデジタルスチルカメラは、請求項１記載のデジタルスチルカメラにおいて、前記第３の補正値は、前記第１の補正値と予め設定された第４の補正値と所定の比率で重み付けしたものであることを特徴とする。
【００１１】
請求項４記載のデジタルスチルカメラは、請求項３記載のデジタルスチルカメラにおいて、前記所定の比率は、ストロボ発光時とストロボ発光前の被写体輝度差に基づいて定めることを特徴とする。
【００１２】
請求項５記載のデジタルスチルカメラは、請求項３又は４記載のデジタルスチルカメラにおいて、前記第２の補正値は、前記第４の補正値であることを特徴とする。
【００１３】
請求項６記載のデジタルスチルカメラは、請求項３又は４記載のデジタルスチルカメラにおいて、前記第４の補正値と前記第１の補正値を他の所定の比率で重み付けした値であって、前記所定の比率は前記他の所定の比率より高いことを特徴とする。
【００１４】
請求項７記載のホワイトバランス調整方法は、ストロボの発光の有無を検出するストロボ発光検出ステップと、ホワイトバランス補正値を用いて撮像画像のホワイトバランスの調整を行うホワイトバランス調整ステップとを備え、前記ホワイトバランス調整ステップは、前記ストロボの発光が無いと検出したときは、前記撮影画像に基づいて算出される第１の補正値を前記ホワイトバランス補正値として用いて、前記ストロボの発光が有ると検出したときは、ストロボ発光時用の第２の補正値を前記ホワイトバランス補正値として用いるデジタルスチルカメラのホワイトバランス調整方法において、前記ストロボの発光が有ると検出したときに、ストロボバウンスの有無を検出するストロボバウンス検出ステップを備え、前記ストロボバウンスが有ると検出したときは、前記ホワイトバランス調整ステップにより、前記第１の補正値から導き出された第３の補正値が前記ホワイトバランス補正値として用いられることを特徴とする。
【００１５】
請求項８記載のホワイトバランス調整方法は、請求項７記載のホワイトバランス調整方法において、前記第３の補正値は、前記第１の補正値であることを特徴とする。
【００１６】
請求項９記載のホワイトバランス調整方法は、請求項７記載のホワイトバランス調整方法において、前記第３の補正値は、前記第１の補正値と予め設定された第４の補正値とを所定の比率で重み付けしたものであることを特徴とする。
【００１７】
請求項１０記載のホワイトバランス調整方法は、請求項９記載のホワイトバランス調整方法において、前記所定の比率は、ストロボ発光時とストロボ発光前の被写体輝度差に基づいて定めることを特徴とする。
【００１８】
請求項１１記載のホワイトバランス調整方法は、請求項９又は１０記載のホワイトバランス調整方法において、前記第２の補正値は、前記第４の補正値であることを特徴とする。
【００１９】
請求項１２記載のホワイトバランス調整方法は、請求項９又は１０記載のホワイトバランス調整方法において、前記第２の補正値は、前記第４の補正値と前記第１の補正値を他の所定の比率で重み付けした値であって、前記所定の比率は前記他の所定の比率より高いことを特徴とする。
【００２０】
請求項１３記載のプログラムは、請求項７乃至１２のいずれか１項に記載のホワイトバランス調整方法をコンピュータに実行させることを特徴とする。
【発明の効果】
【００２１】
請求項１記載のデジタルスチルカメラ、請求項７記載のホワイトバランス調整方法、及び請求項１３記載のプログラムによれば、ストロボ発光が有ると検出したときに、ストロボバウンスが有ると検出したときに、撮影画像に基づいて算出される第１の補正値から導き出された第３の補正値をホワイトバランス補正値として用いて撮像画像のホワイトバランスの調整を行うので、ストロボバウンス撮影時においても適切なホワイトバランス調整をすることができる。
【００２２】
請求項２記載のデジタルスチルカメラ、請求項８記載のホワイトバランス調整方法、及び請求項１３記載のプログラムによれば、第３の補正値は、第１の補正値であるので、ストロボバウンス撮影時においても簡易且つ適切なホワイトバランス調整をすることができる。
【００２３】
請求項３記載のデジタルスチルカメラ、請求項９記載のホワイトバランス調整方法、及び請求項１３記載のプログラムによれば、第３の補正値は、第１の補正値と予め設定された第４の補正値とを所定の比率で重み付けしたものであるので、ストロボバウンス撮影時においても確実且つ適切なホワイトバランス調整をすることができる。
【００２４】
請求項４記載のデジタルスチルカメラ、請求項１０記載のホワイトバランス調整方法、及び請求項１３記載のプログラムによれば、上記所定の比率は、ストロボ発光時とストロボ発光前の被写体輝度差に基づいて定めるので、より確実にホワイトバランス調整をすることができる。
【００２５】
請求項５記載のデジタルスチルカメラ、請求項１１記載のホワイトバランス調整方法、及び請求項１３記載のプログラムによれば、第２の補正値は、第４の補正値であるので、簡易且つ適切なホワイトバランス調整をすることができる。
【００２６】
請求項６記載のデジタルスチルカメラ、請求項１２記載のホワイトバランス調整方法、及び請求項１３記載のプログラムによれば、第２の補正値は、第４の補正値と第１の補正値を他の所定の比率で重み付けした値であって、上記所定の比率は上記他の所定の比率より高いので、確実且つ適切なホワイトバランス調整をすることができる。
【発明を実施するための最良の形態】
【００２７】
以下、本発明の実施の形態を図面を用いて詳説する。
【００２８】
図１は、本発明の実施の形態に係るデジタルスチルカメラを構成するブロック図である。
【００２９】
図１において、デジタルカメラ１００は、被写体光Ｌを順次入射する撮像レンズ１１１ａ、絞り１１１ｂ、及び撮像素子１１３と、入射した被写体光Ｌを撮像素子１１３で光電変換することにより得られた撮像画像信号を前処理する前処理回路１１４と、前記前処理された信号をデジタル化するＡ／Ｄコンバータ１１５と、Ａ／Ｄコンバータ１１５によりデジタル化された画像データに対して画像処理を施す画像処理回路１１６と、メモリカード等の外部記憶装置１１９に接続されたインターフェース（Ｉ／Ｆ）回路１１８と、内部記録装置１２０と、画像処理回路１１６により画像処理が施された画像データを外部記憶装置１１９や内部記憶部１２０へ記憶させるメモリ制御回路１１７と、シャッター（シャッター装置）１２４と、被写体からの反射光の輝度（以下「被写体輝度」という。）に応じた光強度信号を出力する測光センサ１２２と、ＣＣＤやＣ−ＭＯＳ等のラインセンサ（不図示）で構成され、被写体との距離に応じた焦点ずれ信号を出力する測距センサ１２３と、外付け又は内蔵型のストロボ１２５と、こららの構成要素に夫々接続されると共にＣＰＵやメモリ等（不図示）を含むコンピュータ機能を有し、ＣＰＵがメモリから所定の処理プログラムを読み出して実行することにより、デジタルカメラ１００全体の動作を司る制御部１２１とを備える。
【００３０】
撮像素子１１３は、ＣＣＤ（電化転送デバイス）やＣ−ＭＯＳデバイス等の固体撮像素子を含み、絞り１１１ｂを介した入射光を電気信号に変換して出力する。
【００３１】
前処理回路１１４による前処理は、ＣＤＳ回路（不図示）によるノイズ除去処理や、非線形増幅処理等を含み、画像処理回路１１６による画像処理は、輪郭補償やガンマ補正等の画像処理を含む。
【００３２】
ストロボ１２５は、図２に示すように、ストロボ発光部１と本体２から成り、発光部１は本体２に本体２の横軸に関して回動可能に取り付けられている。発光部１は、本体２に対して正位置（図２の位置）から上方に９０度まで、下方に７度まで回転可能であり、照射方向をその範囲内で変更することができる。また、発光部１は、本体２に対して正位置（図２の位置）から左右方向に±１８０度回転可能であり、照射方向をその範囲内で変更することができる。また、ストロボ１２５は、撮影時に発光部１が発光した場合、その旨及びその照射方向の情報をストロボ発光情報として撮影時に制御装置１２１に送信する。
【００３３】
制御装置１２１は、撮影時にストロボ発光情報を受信した場合、ストロボ撮影が行われたと判断し、撮影時にストロボ発光情報を受信しなかった場合、ストロボ撮影が行われたと判断する不図示のストロボ撮影判断部（ストロボ発光検出手段）を有する。
【００３４】
また、制御装置１２１は、ストロボ撮影が行われたときに、受信したストロボ発光情報の照射方向の情報に基づいて、ストロボバウンス撮影が行われたか否かを判断する不図示のストロボバウンス撮影判断部（ストロボバウンス検出手段）を有する。具体的には、ストロボバウンス撮影判断部は、上記照射方向の情報が正位置又は正位置より下方向を示すとき、ストロボバウンス撮影ではないと判断し、正位置より上方向又は左右方向にありバウンスしていることを示すとき、ストロボバウンス撮影であると判断する。
【００３５】
制御部１２１は、ホワイトバランス調整回路１２１ａを有し、このホワイトバランス調整回路１２１ａは、後述する図３のホワイトバランス処理を実行して、Ａ／Ｄコンバータ１１５から得られた画像データを構成する各画素のＲＧＢデータを、例えばｘｙ色空間等の所定の色空間にプロットし、その結果、その色空間上で光源色の可能性が高い黒体輻射軌跡付近にプロットされたデータのＲ，Ｇ，Ｂを積分し、その積分値から、Ｒ及びＢ成分のホワイトバランス補正値Ｇ／Ｒ及びＧ／Ｂを算出し、この算出したホワイトバランス補正値を画像処理回路１１６に対して出力する。従って、画像処理装置１１６は、制御部１２１からのホワイトバランス補正値に基づいてＡ／Ｄコンバータ１１５から出力された画像データに対するホワイトバランス調整を行う。
【００３６】
上記構成のデジタルスチルカメラ１００は、制御部１２１の制御により、以下のように動作する。
【００３７】
まず、被写体（不図示）からの光線（被写体光）Ｌは、撮影レンズ１１１ａ及び１１１ｂを介して、撮像素子１１３の受光面に対して入射する。
【００３８】
このとき、制御部１２１は、測光センサ１２２及び測距センサ１２３からの信号出力に基づいて、撮影に適した被写体からの反射光を受光するのに適切な露出値を求め、この露出値となるようにシャッター１２４のシャッタースピードを駆動制御し、また、この露出値になるように絞り１１１ｂの絞り値を制御する。
【００３９】
本実施の形態では、測光センサ１２２を、撮像レンズ１１１ａの光軸とは別個に設ける構成としているが、これに限られることはなく、撮影レンズ１１１ａの光軸と同軸に形成した、ＴＴＬ方式による構成としてもよい。また、ホワイトバランス補正値を求める方法としては、上記の方法に限られることはなく、任意の方法や、さらに複雑な方法等を適用可能である。
【００４０】
図３は、図１における制御装置１２１によって実行される撮影調整処理のフローチャートである。
【００４１】
図３において、まず、制御装置１２１のホワイトバランス調整回路１２１ａは、撮影が開始されると（ステップＳ１００でＹＥＳ）、例えばｘｙ色空間等の所定の色空間を用いて黒体輻射軌跡付近の色を前述のＡ／Ｄコンバータ１１５から出力される画像データ（撮影画像）から抽出し、その抽出された色の平均の色を無彩色にするようにホワイトバランス調整回路１２１ａがホワイトバランス補正値ＷＢnon-strobeを算出する（ステップＳ１０１）。
【００４２】
次に、制御装置１２１のストロボ撮影判断部で撮影がストロボ撮影であるか否かを判別する（ステップＳ１０２）。この判別では、具体的には、ストロボ撮影判断部が撮影時にストロボ１２５から制御装置１２１にストロボ発光情報が送信されているか否かに応じて、ストロボ撮影であるか否かを判別する。ステップＳ１０２の判別の結果、ストロボ撮影でないときは、ステップＳ１０１で算出されたホワイトバランス補正値ＷＢnon-strobe（第１の補正値）で撮影された画像データのホワイトバランス調整を行い（ステップＳ１０３）、本処理を終了する。
【００４３】
一方、ステップＳ１０２の結果、撮影がストロボ撮影であるときは（ステップＳ１０２でＹＥＳ）、ストロボ撮影用のホワイトバランス補正値ＷＢstrobe（第２の補正値）を算出する（ステップＳ１０４）。
【００４４】
ステップＳ１０１、Ｓ１０２、及びステップＳ１０４の処理によれば、撮影がストロボ撮影である場合（ステップＳ１０２でＹＥＳ）、ホワイトバランス補正値ＷＢnon-strobeを算出するだけでなく（ステップＳ１０１）、別途ストロボ撮影用にホワイトバランス補正値ＷＢstrobeを算出する（ステップＳ１０４）ので、ストロボ撮影時において、もともと被写体に照明していた光源と発光したストロボ光の両方の光源色の影響を考慮できる。
【００４５】
ストロボ撮影用のホワイトバランス補正値ＷＢstrobeは、予め制御部１２１内のメモリに設定されるストロボ撮影用のホワイトバランス補正値ＷＢset（第４の補正値）、又は上述のように算出されたホワイトバランス補正値ＷＢnon-strobeと上記ホワイトバランス補正値ＷＢsetとを所定のＭＩＸ比αでＭＩＸさせた値のいずれかである。
【００４６】
ここで、上述のＭＩＸ比αは、具体的には、制御装置１２１が、ストロボ１２５から測光センサ１２２から得たストロボ発光前とストロボ発光時の被写体輝度の情報を受信し、この２つの状態の輝度の差から決定する。ＭＩＸ比αは、ストロボ発光時の被写体輝度がストロボ発光前の被写体輝度よりも大きいほどストロボ用のホワイトバランス補正値の重みが大きくなるように変化させる。これはストロボ発光時とストロボ発光前の被写体輝度差が大きいほどストロボ光が被写体に与える影響が大きいと判断しているためである。
【００４７】
ホワイトバランス補正値ＷＢstrobeは、実際には、以下のような式を用いて算出する。
【００４８】
ＷＢstrobe＝ＷＢset×α＋ＷＢnon-strobe×（１−α）
ここで、αはストロボ撮影時のＭＩＸ比（０≦α≦１）である。
【００４９】
図３に戻り、ステップＳ１０４の処理後、制御装置１２１のストロボバウンス撮影判断部は、撮影がストロボバウンス撮影であるか否かを判別する（ステップＳ１０５）。この判別は、具体的には、ストロボバウンス撮影判断部が、受信したストロボ発光情報にある発光部１の照射方向が本体２に対して正位置（図２）又は正位置より下方向であるときは、ストロボバウンス撮影ではないと判別し、本体２に対して正位置より上方向又は左右方向であるときは、ストロボバウンス撮影であると判別する。
【００５０】
ステップＳ１０５の判別の結果、ストロボバウンス撮影でないときは、ステップＳ１０４で算出されたホワイトバランス補正値ＷＢstrobeで画像データのホワイトバランス調整を行い（ステップＳ１０６）、一方、ストロボバウンス撮影であるときは、ステップＳ１０１で算出されたホワイトバランス補正値ＷＢnon-strobeをストロボバウンス撮影用のホワイトバランス補正値ＷＢbounce（第３の補正値）として用いて撮影された画像データのホワイトバランス調整を行い（ステップＳ１０３）、本処理を終了する。
【００５１】
本処理によれば、撮影がストロボ撮影であり（ステップＳ１０２でＹＥＳ）、且つストロボバウンス撮影であるとき（ステップＳ１０５でＹＥＳ）、ストロボ撮影用のホワイトバランス補正値ＷＢstrobeではなく、撮影画像に基づいて算出されたホワイトバランス補正値ＷＢnon-strobeを用いてホワイトバランス調整を行うので（ステップＳ１０３）、壁等に反射させたストロボ光を被写体に間接的に照射するため、ストロボ光を被写体に直接的に照射したときの被写体の輝度とはかなり異なるストロボバウンス撮影であっても、適切にホワイトバランスを調整することができる。
【００５２】
即ち、ストロボ撮影ではあるが（ステップＳ１０２でＹＥＳ）、ストロボバウンス撮影ではない場合（ステップＳ１０５でＮＯ）と、ストロボバウンス撮影である場合（ステップＳ１０５でＹＥＳ）とを比較すると、ストロボバウンス撮影の場合の方がもともと被写体に照明していた光源の色が残り易くなり、ストロボバウンス撮影で得られた画像データをストロボ撮影用のホワイトバランス補正値ＷＢstrobeでホワイトバランス調整を行うと、被写体を照明していた光源の影響を適切に除去できなくなる。
【００５３】
本実施の形態では、ストロボバウンス撮影時には、ホワイトバランス補正値ＷＢnon-strobeを用いてホワイトバランス調整を行ったが、ストロボ撮影とストロボバウンス撮影とを異なるホワイトバランス補正値で調整するものであれば、これに限定されるわけでなく、例えば、ストロボバウンス撮影時のホワイトバランス補正値ＷＢbounceを以下のような式を用いて算出してもよい。
【００５４】
ＷＢbounce＝ＷＢset×β＋ＷＢnon-strobe×（１−β）
ここで、βは、ストロボバウンス撮影時のＭＩＸ比（０≦β＜α）であり、具体的には、制御装置１２１が、ストロボバウンス撮影時にストロボ１２５から測光センサ１２２から得たストロボ発光前とストロボ発光時の被写体輝度の情報を受信し、この２つの状態の輝度の差から決定する。
【００５５】
本発明は、複数の機器から構成されるシステムに適用しても、１つの機器からなる装置に適用してもよい。上述した実施形態の機能を実現するソフトウェアのプログラムコードを記憶した記憶媒体等の媒体をシステム或いは装置に供給し、そのシステム或いは装置のコンピュータ（又はＣＰＵやＭＰＵ）が記憶媒体等の媒体に格納されたプログラムコードを読み出し実行することによっても、本発明が達成されることは言うまでもない。
【００５６】
この場合、記憶媒体等の媒体から読み出されたプログラムコード自体が上述した実施形態の機能を実現することになり、そのプログラムコードを記憶した記憶媒体等の媒体は本発明を構成することになる。プログラムコードを供給するための記憶媒体等の媒体としては、例えば、フロッピー（登録商標）ディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ、或いはネットワークを介したダウンロード等を用いることができる。
【００５７】
また、コンピュータが読み出したプログラムコードを実行することにより、上述した実施形態の機能が実現されるだけでなく、そのプログラムコードの指示に基づき、コンピュータ上で稼動しているＯＳ等が実際の処理の一部又は全部を行い、その処理によって上述した実施形態の機能が実現される場合も、本発明に含まれることは言うまでもない。
【００５８】
更に、記憶媒体等の媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も、本発明に含まれることは言うまでもない。 
【図面の簡単な説明】
【００５９】
【図１】本発明の実施の形態に係るデジタルスチルカメラを構成するブロック図である。
【図２】図１におけるストロボ１２５の外観斜視図である。
【図３】図１における制御装置１２１によって実行される撮影調整処理のフローチャートである。
【符号の説明】
【００６０】
１００  デジタルスチルカメラ
１２１  制御装置
１２１ａ  ホワイトバランス調整回路
１２５  ストロボ
【図１】
2005142830.tif 000003
【図２】
2005142830.tif 000004
【図３】
2005142830.tif 000005